(57)【要約】【課題】パソコンを用いたテレビ電話では、専用端末を利用することにより実現できていた送信側のカメラのリモートコントロール等の付加機能を実現することは出来なかった。【解決手段】デジタルビデオを用いて、ネットワークを介して、画像と音声の双方向通信を行うにあたり、ＯＳに付属する通信アプリケーションが提供する、画像と音声と同一の回線に属しデータ送付するデータ送付回線を用いて、通信先のデジタルビデオに対するデジタルビデオ制御情報を送信して、通信先のデジタルビデオを制御することにより、従来の専用端末で実現していた、通信先のデジタルビデオを制御するなどの付加機能を実現することが可能となる。【選択図】  図１
2004343153.tif 000002
【特許請求の範囲】
【請求項１】
デジタルビデオを用いて、ネットワークを介して、画像と音声の双方向通信を行うにあたり、
ＯＳに付属する通信アプリケーションが提供する、前記画像と音声と同一の回線に属しデータ送付するデータ送付回線を用いて、
通信先の前記デジタルビデオに対するデジタルビデオ制御情報を送信して、前記通信先のデジタルビデオを制御することを特徴とするデジタルビデオ通信システム。
【請求項２】
前記デジタルビデオ制御情報が、前記通信先のデジタルビデオのカメラ機能を制御するカメラ機能制御情報であることを特徴とする請求項１記載のデジタルビデオ通信システム。
【請求項３】
前記デジタルビデオ制御情報が、前記通信先のデジタルビデオのＶＴＲ機能を制御するＶＴＲ制御情報であることを特徴とする請求項１記載のデジタルビデオ通信システム。
【請求項４】
前記デジタルビデオ制御情報が、前記通信先のデジタルビデオのメモリカードを制御するメモリカード制御情報であることを特徴とする請求項１記載のデジタルビデオ通信システム。
【請求項５】
デジタルビデオを用いて、ネットワークを介して、画像と音声の双方向通信を行うにあたり、
ＯＳに付属する通信アプリケーションが提供する、前記画像と音声と同一の回線に属しデータ送付するデータ送付回線を用いて、
通信先のコーデックに、前記通信先のデジタルビデオに対するデジタルビデオ制御情報を送信して、前記通信先の画像を制御することを特徴とするデジタルビデオ通信システム。
【請求項６】
前記デジタルビデオ制御情報が、前記通信先のデジタルビデオのカメラ機能を制御するカメラ機能制御情報であることを特徴とする請求項５記載のデジタルビデオ通信システム。
【請求項７】
デジタルビデオを用いて、ネットワークを介して、画像と音声の双方向通信を行うにあたり、
ＯＳに付属する通信アプリケーションが提供する、前記画像と音声と同一の回線に属しデータ送付するデータ送付回線を用いて、
送信元の前記デジタルビデオに関するデジタルビデオ情報を送信することを特徴とするデジタルビデオ通信システム。
【請求項８】
前記デジタルビデオ情報が、前記送信元のデジタルビデオの機能に関する情報であり、前記送信元のデジタルビデオに対する通信先からの制御を、制限もしくは制御不可能とすることを特徴とする請求項７記載のデジタルビデオ通信システム。
【請求項９】
デジタルビデオを用いて、ネットワークを介して、画像と音声の双方向通信を行うにあたり、
前記デジタルビデオの保有するカメラ、ＶＴＲ、メモリカードの各モードを通信中に切り替えて使用することを特徴とするデジタルビデオ通信システム。
【請求項１０】
デジタルビデオを用いて、ネットワークを介して、画像と音声の双方向通信を行うにあたり、
前記送信側から送出する画像、音声、使用するコーデックの各々を通信中に切り替えて使用することを特徴とするデジタルビデオ通信システム。
【発明の詳細な説明】
【０００１】
【発明の属する技術分野】
本発明は、デジタルビデオを用いた通信システムに関するものである。
【０００２】
【従来の技術】
これまで、画像や音声を伝送するテレビ電話は、専用端末を用いて行われていた。つまりテレビ電話を行なうためには、この専用端末を購入する必要があり、広く一般に広まるまでにはいたっていない。一方、近年のネットワークやインターネットの発達により、パソコンを用いた通信が一般的になってきており、その通信を利用したアプリケーションのひとつとして、前記テレビ電話同等の機能を実現する通信アプリケーションが市場に出回るようになってきている。
【０００３】
この通信アプリケーションの中に、ＯＳに付属する通信アプリケーションがある。このＯＳ付属の通信アプリケーションは、音声および画像の入力デバイスとして、音声に関しては例えばマイク、画像に関しては例えばＵＳＢカメラというように、音声と画像それぞれに独立したパソコンに接続されたデバイスを使用してテレビ電話同等の機能を実現している。また、ＯＳ付属の通信アプリケーションでは、上記画像と音声の通信に加えて、画像と音声の同一回線内にデータ送付のための回線も保持しており、これを用いることによりチャットやファイル転送を実現している。
【０００４】
【発明が解決しようとする課題】
しかしながら、上記パソコンを用いたテレビ電話では、従来の専用端末を利用することにより実現できていた、通話先のカメラのコントロールなどの付加機能を実現することが出来なかった。
【０００５】
さらに、パソコンのＯＳ付属の通信アプリケーションでは、通信先との接続中にデバイスを切り替えることは出来なかった。
【０００６】
【課題を解決するための手段】
第１の本発明のデジタルビデオ通信システムは、デジタルビデオを用いて、ネットワークを介して、画像と音声の双方向通信を行うにあたり、ＯＳに付属する通信アプリケーションが提供する、画像と音声と同一の回線に属しデータ送付するデータ送付回線を用いて、通信先のデジタルビデオに対するデジタルビデオ制御情報を送信して、通信先のデジタルビデオを制御することを特徴とする。
【０００７】
これにより、従来の専用端末で実現していた、通信先のデジタルビデオを制御するなどの付加機能を実現することが可能となる。
【０００８】
第２の本発明のデジタルビデオ通信システムは、デジタルビデオを用いて、ネットワークを介して、画像と音声の双方向通信を行うにあたり、ＯＳに付属する通信アプリケーションが提供する、画像と音声と同一の回線に属しデータ送付するデータ送付回線を用いて、通信先のコーデックに、通信先のデジタルビデオに対するデジタルビデオ制御情報を送信して、通信先の画像を制御することを特徴とする。
【０００９】
これにより、送信元のデジタルビデオがサポートしていない機能拡張を、送信元のコーデックを用いて実現することが可能となる。
【００１０】
第３の本発明のデジタルビデオ通信システムは、デジタルビデオを用いて、ネットワークを介して、画像と音声の双方向通信を行うにあたり、ＯＳに付属する通信アプリケーションが提供する、画像と音声と同一の回線に属しデータ送付するデータ送付回線を用いて、送信元のデジタルビデオに関するデジタルビデオ情報を送信することを特徴とする。
【００１１】
これにより、通信先からの送信元のデジタルビデオに対する制御を制限や制御不可能とすることが可能となる。
【００１２】
第４の本発明のデジタルビデオ通信システムは、デジタルビデオを用いて、ネットワークを介して、画像と音声の双方向通信を行うにあたり、デジタルビデオの保有するカメラ、ＶＴＲ、メモリカードの各モードを通信中に切り替えて使用することを特徴とする。
【００１３】
これにより、従来のＯＳ付属の通信アプリケーションで実現できなかった、通話中のデバイスの切り替えが可能となる。
【００１４】
第５の本発明のデジタルビデオ通信システムは、デジタルビデオを用いて、ネットワークを介して、画像と音声の双方向通信を行うにあたり、送信側から送出する画像、音声、使用するコーデックの各々を通信中に切り替えて使用することを特徴とする。
【００１５】
これにより、第４の発明と同じ効果を別の構成で実現できる。
【００１６】
【発明の実施の形態】
以下、本発明の実施の形態を説明する。
（実施例１）
図１は本発明の第１の実施例を説明するための図面で、１０１と１０４はデジタルビデオ、１０２と１０５はパソコン、１０３はデジタルビデオ１０１とパソコン１０２からなる受信側、１０６はデジタルビデオ１０４とパソコン１０５からなる送信側、１０７はパソコン間でデータの送受信をするためのネットワークである。ここで受信側１０３と送信側１０６は本実施例において説明のために設定したものであり、実際には双方向通信であるので一義的には定義されない。
【００１７】
以上の構成における本発明の第１の実施例を、図１を用いて説明する。
デジタルビデオ１０１および１０４は、例えばＩＥＥＥ１３９４を介して、パソコン１０２および１０５と接続されており、パソコン１０２および１０５からの制御コマンドにより、動作する機能を有している。受信側１０３は、送信側１０６にデジタルビデオ１０４の制御コマンドであるデジタルビデオ制御情報を送信する。ここで、送信の方法としては、例えばＯＳに付属の通信アプリケーションが、例えばチャットデータやファイル転送等を行うためにデータを転送するために保持している、画像と音声の同一回線内にあるデータ送信回線を使用する。これにより通話先にデジタルビデオの制御コマンドであるデジタルビデオ制御情報を送信することが出来る。送信側１０６では、パソコン１０５で受け取ったデジタルビデオ制御情報をデジタルビデオ１０４に送信することにより、デジタルビデオ１０４を制御する。これにより、受信側１０３から送信側１０６のデジタルビデオ１０４を制御することが可能となる。
【００１８】
ここでデジタルビデオの制御とは、例えばデジタルビデオがカメラモードの時には、カメラのズームイン・ズームアウト等であり、ＶＴＲモードの時にはテープの再生・停止・早送り・巻き戻し・一時停止等であり、メモリカードモードの時には、メモリカードに記録されている画像の切り替え等である。
【００１９】
また、デジタルビデオの制御としては、上記各モードにおける制御の切り替えに加えて、カメラモード・ＶＴＲモード・メモリカードモードの切り替えも可能である。これにより、ＯＳ付属の通信アプリケーションで実現できなかった、通話中のデバイスの切り替えを行うことが可能となる。
【００２０】
また、パソコンに接続されているデジタルビデオが、パソコンからのコマンド操作で動作しない場合でも、通信アプリケーションが使用するコーデックに制御コマンドを送信することにより、例えばコーデックで画像の拡大・縮小や切り出し等の画像加工をして、カメラモードにおけるズームイン・ズームアウトと同等機能を実現することが可能である。また、デジタルビデオをパソコンからの制御で切り替えるのでなく、手動で切り替えることにより、音声や画像や使用するコーデックを通話中に切り替えることももちろん可能であり、それぞれの切り替えは単独でも同時に複数でもどちらでも可能である。
【００２１】
以上のように本発明のデジタルビデオ通信システムは、受信側１０３が送信側１０６にデジタルビデオ１０４に対する制御コマンドを送信することにより、送信側１０６のデジタルビデオを制御することが可能となる。これにより、従来専用機でしか実現できなかったテレビ電話における、通話先から送信元のデジタルビデオを制御するなどの付加機能を実現することが可能となる。
（実施例２）
図２は本発明の第２の実施例を説明するための図面である。第２の実施例の構成は第１の実施例と同じであるのでここでは説明を省略する。第１の実施例と第２の実施例で異なるのは、ネットワーク１０７上を流れるデータが、デジタルビデオ制御情報からデジタルビデオ情報に変更された点である。
【００２２】
以上の構成における本発明の第２の実施例を、図２を用いて説明する。
送信側１０６は、受信側１０３にデジタルビデオ１０４に関する情報であるデジタルビデオ情報を送信する。ここでの送信方法も、第１の実施例とは、送信側と受信側が反対ではあるが同様に行える。受信側１０３では、送信側から受け取ったデジタルビデオ情報に基づき、実施例１の手順でデジタルビデオ１０４の制御を行う。つまり本実施例においては、受信側１０３で行えるデジタルビデオ１０４に対する制御は、送信側１０６が指定した機能だけとなる。
【００２３】
従って、例えば送信側１０６が受信側１０３に制御を許可しないという情報を送信すれば、受信側１０３ではデジタルビデオ１０４を制御することは出来ないし、例えばカメラモードの制御のみを許可するという情報を送信すれば、カメラモードでのみ制御を行うことが可能となる。つまり、送信側１０６が受信側１０３に機能限定で許可することが可能である。
【００２４】
また、デジタルビデオ情報として、デジタルビデオ１０４の機種番号や現在の状態などのデジタルビデオ１０４自体の情報を送信することにより、通話先のデジタルビデオのステータスを、通話する両者間で共有することも可能である。
さらに予めデジタルビデオに関する情報を通話する両者が所持していれば、送信する情報を少なくしてシステムの負荷を軽くすることが可能となる。
【００２５】
以上のように本発明のデジタルビデオ通信システムは、送信側１０６から受信側１０３にデジタルビデオ情報を送信することにより、受信側１０３で行えるデジタルビデオ１０４に対する制御を制限することが可能となる。
【００２６】
なお、実施例１および実施例２で、デジタルビデオの制御コマンドの送信方法として、ＯＳ付属の通信アプリケーションが提供するデータ用の回線を使用すると記載したが、それ以外に画像ストリームに多重して送信するなど他の方法でももちろん可能である。要は、通信先に制御コマンドを伝送出来ればよく、その伝送方法は任意である。
【００２７】
また、ＯＳ付属の通信アプリケーションとは、ＯＳに標準添付されている通信アプリケーションであるが、付属でなくても同じものを、ネットワークまたはＣＤ−ＲＯＭなどの媒体を介してインストールした場合でも、本発明と同じ効果を得ることが出来る。
【００２８】
【発明の効果】
デジタルビデオを用いて、ネットワークを介して、画像と音声の双方向通信を行うにあたり、ＯＳに付属する通信アプリケーションが提供する、画像と音声と同一の回線に属しデータ送付するデータ送付回線を用いて、通信先のデジタルビデオに対するデジタルビデオ制御情報を送信して、通信先のデジタルビデオを制御することにより、従来の専用端末で実現していた、通信先のデジタルビデオを制御するなどの付加機能を実現することが可能となる。
【図面の簡単な説明】
【図１】本発明の第１の実施例の構成図
【図２】本発明の第２の実施例の構成図
【符号の説明】
１０１、１０４  デジタルビデオ
１０２、１０５  パソコン
１０３  受信側
１０６  送信側
１０７  ネットワーク
【図１】
2004343153.tif 000003
【図２】
2004343153.tif 000004